(57)【特許請求の範囲】
【請求項１】
液状化粧料（Ａ）を収容する容器本体（１）と、該容器本体（１）の口部（１３）を密閉するキャップ（２）と、該キャップ（２）の天井面（２２）に後端が連結された塗布棒（３）と、弾性を有し前記容器本体（１）の口部（１３）に止着され液状化粧料（Ａ）の付着量を適量に払拭するワイパー（５）とを備える液状化粧料容器に於いて、前記塗布棒（３）の先端に止着されるアプリケータ（４）であって、
該アプリケータ（４）は弾性を有し、複数の針状毛（４４）を一体に設けた成形ブラシ部（４２）を有し、
該成形ブラシ部（４２）の針状毛（４４）は、基部（４３）の軸心（Ｂ）と略平行に列をなし、該列は複数列が基部（４３）の周方向に連成して配置され、該列は成形ブラシ部（４２）の軸方向の中央領域（Ｃ）において、毛足の短い短毛列群（４５）と、該短毛列群（４５）よりも毛足の長い長毛列群（４６）を周方向に分けて配置し、該長毛列群（４６）は、成形ブラシ部（４２）の先端（６１）の側において短毛である短毛部位（６３）を構成し、更に長毛列群（４６）中に中心列（４９）を設定し、該中心列（４９）に少なくとも隣接する１列を、前記短毛部位（６３）に於いて中心列（４９）方向に接近させて配置された収束列（４０）を構成しているマスカラ用アプリケータ。
【請求項２】
前記中心列（４９）は、針状毛（４４）を有する少なくとも１列、若しくは針状毛（４４）を有さない空白列のいずれかであることを特徴とする請求項１記載のマスカラ用アプリケータ。
【請求項３】
前記収束列（４０）は、前記短毛部位（６３）に於いて、前記中心列（４９）方向に湾曲した湾曲列であることを特徴とする請求項１若しくは２いずれかの項記載のマスカラ用アプリケータ。
【請求項４】
前記収束列（４０）は、直線状の列であり、成形ブラシ部（４２）の先端（６１）に向かって中心列（４９）方向に収束するよう角度をつけて配置したことを特徴とする請求項１若しくは２いずれかの項記載のマスカラ用アプリケータ。
【請求項５】
前記収束列（４０）は、前記中心列（４９）より離れた列ほど、湾曲率若しくは中心列（４９）に対しての角度のいずれかを大きくしたことを特徴とする請求項３若しくは４いずれかの項記載のマスカラ用アプリケータ。
【請求項６】
前記成形ブラシ部（４２）の周方向に対しての長毛列群（４６）の広がり（Ｅ）は、短毛列群（４５）の広がり（Ｆ）よりも狭い範囲に設けられていることを特徴とする請求項１〜５いずれかの項記載のマスカラ用アプリケータ。
【発明の詳細な説明】
【技術分野】
【０００１】
本発明は、マスカラなどの液状化粧料容器に関する。詳しくは、キャップの天井部分に後端が連結した塗布棒の先端に設けられる、マスカラ液を塗布するアプリケータに関するものである。
【背景技術】
【０００２】
従来、マスカラ用の液状化粧料を塗布する場合、マスカラ用アプリケータには、液状化粧料をまつ毛に塗布する機能、液状化粧料が付着したまつ毛をとかす機能、細部に塗布したり微調整したりする機能などが求められていた。そこで、アプリケータ先端部分の毛の密度を上げて微細塗布しやすくしたり（特許文献１参照）、部分的に毛足を長くしてまつ毛をとかしやすくしたり（特許文献２参照）していた。また近年では、アプリケータ全体をエラストマー樹脂のような弾性を有した樹脂で一体に成形した成形ブラシ（特許文献３参照）が主流になりつつある。この成形ブラシは、金型構造、金型コストの関係で、針状の毛が塗布部の軸線と略平行に並んだ構成が多く利用されている。
【先行技術文献】
【特許文献】
【０００３】
【特許文献１】特開２００７−３０７３１１号公報
【特許文献２】実開平５−８８４１０号公報
【特許文献３】特開２００７−４４５２４号公報
【発明の概要】
【発明が解決しようとする課題】
【０００４】
しかし、成形ブラシは、毛の１本１本を金型に彫り込んで成形するため、毛の配置、密度に機械加工上の制限があった。したがって、上記３種の機能を明確に付加するのは困難であった。特に細部に塗布したり微調整したりするためには、部分的に毛の密度を上げる必要があった。そのためには、列中の毛の間隔を狭くする方法、若しくは塗布部中の列の本数を増やして、列の間隔を狭くする方法しかなかった。現状でも毛の間隔や列の間隔は、金型作成上の限界に近いため、大幅に毛の密度を上げることはできなかった。
【課題を解決するための手段】
【０００５】
液状化粧料を収容する容器本体と、該容器本体の口部を密閉するキャップと、該キャップの天井面に後端が連結された塗布棒と、弾性を有し前記容器本体の口部に止着され液状化粧料の付着量を適量に払拭するワイパーとを備える液状化粧料容器に於いて、前記塗布棒の先端に止着されるアプリケータであって、該アプリケータは弾性を有し、複数の針状毛を一体に設けた成形ブラシ部を有し、該成形ブラシ部の針状毛は、基部の軸心と略平行に列をなし、該列は複数列が基部（４３）の周方向に連成して配置され、該列は成形ブラシ部の軸方向の中央領域において、毛足の短い短毛列群と、該短毛列群よりも毛足の長い長毛列群を周方向に分けて配置し、該長毛列群は、成形ブラシ部の先端の側において短毛である短毛部位を構成し、更に長毛列群中に中心列を設定し、該中心列に少なくとも隣接する１列を、前記短毛部位に於いて中心列方向に接近させて配置された収束列を構成する。
【０００６】
前記中心列は、針状毛を有する少なくとも１列、若しくは針状毛を有さない空白列とする。また、前記収束列は、前記短毛部位に於いて、中心列方向に湾曲した湾曲列、若しくは、直線状の列であり、成形ブラシ部の先端に向かって中心列方向に収束するよう角度をつけて配置する。また、収束列が複数列並んでいる場合には、前記中心列より離れた列ほど、湾曲率若しくは中心列に対しての角度のいずれかを大きくする。
【０００７】
前記成形ブラシ部の長毛列群の周方向に対しての広がりは、短毛列群の周方向に対しての広がりよりも狭い範囲に設ける。
【発明の効果】
【０００８】
本発明は以上のように、成形ブラシ部の針状毛は、基部の軸心と略平行に列をなし、該列は複数列が基部の周方向に連成して配置され、該列は成形ブラシ部の軸方向の中央領域において、毛足の短い短毛列群と、該短毛列群よりも毛足の長い長毛列群に分けて配置し、該長毛列群は、成形ブラシ部の先端の領域において短毛である短毛部位を構成し、更に長毛列群中に中心列を設定し、該中心列に少なくとも隣接する１列を前記短毛部位に於いて中心列方向に接近させて配置された収束列を構成している。そして、毛足の長さによって液状化粧料を塗布する塗布部（短毛列群）と、まつ毛をとかすコーム部（長毛列群の中央部）とを構成し、加えて長毛列群の短毛部位を微細塗布部として、３通りの塗布部分を構成している。しかも、収束列を湾曲、若しくは直線状の収束列を角度を変えて配置するため、先端に行くにつれて徐々に針状毛の密度が増えており、違和感なく使用できるようになっている。しかも、収束列の本数、収束列の湾曲の度合い、若しくは配置角度を変えることによって毛の密度を自由に設定できる。更に、針状毛の列の本数はどの位置でも同じなので、現行の金型構造の範囲で実施できる。
【図面の簡単な説明】
【０００９】
【図１】本発明実施例の液状化粧料容器の正面断面図である。
【図２】本発明マスカラ用アプリケータの斜視図である。
【図３】本発明マスカラ用アプリケータの側断面図である。
【図４】図３に於けるＣ矢視部断面図である。
【図５】図４に於けるＤ矢視部断面図である。
【図６】本発明マスカラ用アプリケータの微細塗布部の針状毛配置説明図である。
【図７】本発明マスカラ用アプリケータの他の実施例の断面図である。
【図８】本発明マスカラ用アプリケータの他の実施例の微細塗布部の針状毛配置説明図である。
【発明を実施するための形態】
【００１０】
以下、本発明マスカラ用アプリケータについて説明する。先ず、本発明のマスカラ用アプリケータを装着した液状化粧料容器について図１によって説明する。図１は、液状化粧料容器の正面断面図を表す。図において、液状化粧料容器は、マスカラ液などの液状化粧料Ａを収容する筒状の容器本体１と、該容器本体１に螺合閉蓋するキャップ２より構成される。
【００１１】
容器本体１は上部に首部１１を設けている。この首部１１の上端には、口部１３が開口し、首部１１の外周に雄ネジ１２を螺設している。キャップ２は、容器本体１の首部１１に嵌合するようになっている。このキャップ２の内側壁には、容器本体１の首部１１の雄ネジ１２と螺合して容器本体１を閉蓋する雌ネジ２１を螺設している。このキャップ２の天井面２２には、塗布棒３の後端が連結されている。
【００１２】
この塗布棒３は、キャップ２を容器本体１に嵌合する時、容器本体１の口部１３より容器本体１内に挿入される。この塗布棒３の先端には、アプリケータ４を止着している。
【００１３】
このアプリケータ４は、基部４３より針状毛４４が立設した形状をしており、この基部４３の外径は、塗布棒３の外径よりも若干小径になっている。このアプリケータ４は、熱可塑性の樹脂若しくは熱硬化性の樹脂により一体に成形されている。
【００１４】
また、容器本体１の口部１３には、ワイパー５を止着している。このワイパー５は、ゴム、エラストマー樹脂などの軟質素材より成形されている。このワイパー５には、前記塗布棒３及びアプリケータ４が貫通する払拭穴５１を穿設している。この払拭穴５１の内径は、塗布棒３の外径よりも若干小径で、アプリケータ３の基部４３外径よりも若干大径になっており、キャップ２を抜脱した際、塗布棒３に付着した液状化粧料Ａを払拭し、アプリケータ４に付着する液状化粧料Ａを適量に調整するようになっている。また、ワイパー５の上端は、容器本体１の口部１３上端より突出し、容器本体１にキャップ２を嵌合させた際、キャップ２の天井面２２に当接し、容器本体１内を密閉するパッキン５２になっている。
【００１５】
次に、本発明実施例のマスカラ用アプリケータの詳細について図２乃至図６により説明する。図２は、本発明マスカラ用アプリケータの斜視図で、図３は側断面図である。アプリケータ４は、前述した基部４３と針状毛４４とから成る成形ブラシ部４２と、塗布棒３に連結する連結部４１とより成っており、エラストマー樹脂など、弾性を有した樹脂により一体に成形されている。
【００１６】
この連結部４１は、前記塗布棒３の先端に穿設した連結穴３１に挿入、カシメ固定して、塗布棒３の先端にアプリケータ４を固定している。成形ブラシ部４２の基部４３は、前記連結部４１と同軸で、塗布棒3の先端より突出している。この基部４３より針状毛４４が立設している。
【００１７】
この針状毛４４は、成形する金型の関係で、軸心Ｂと略平行に列を成している。この針状毛４４の列は、基部４３の周方向にわたって、かつ基部４３の軸方向にわたって配置されている。この針状毛４４の間隔（毛と毛の間の距離）Ｇは、０．０５ｍｍ乃至１．０ｍｍになっている（図３、６参照）。また、針状毛４４の列数は、全体で４列乃至３２列の範囲で設けている。
【００１８】
この針状毛４４の列は、図４の断面図に示したように、成形ブラシ部４２の長手方向の中央領域（図３に於けるＣ矢視部）において、毛足の短い短毛列群４５と、この短毛列群４５よりも毛足の長い長毛列群４６に分けて設けている。また、長毛列群４６は横方向から見ると、図３のように、成形ブラシ部４２の中央領域（Ｃ矢視部）の針状毛４４の毛足が最も長く、その両側が短いアーチ状をしている。この長毛列群４６の先端６１側の短毛部位６３（Ｄ矢視部）の基部４３における長手方向の長さは、１．０ｍｍ乃至１０．０ｍｍ程度である。そして短毛列群４５は、液状化粧料Ａをまつ毛に塗布する塗布部４７となり、長毛列群４６の中央領域（毛足の長い部分、Ｃ矢視部）は、液状化粧料Ａが付着したまつ毛をとかすコーム部６２となり、長毛列群４６の短毛部位６３は、まつ毛の細部に塗布する微細塗布部４８となっている。
【００１９】
図４にあるように、この長毛列群４６の周方向に対しての広がりの角度（長毛列群４６の両端の針状毛４４の間の角度）Ｅは、短毛列群４５の周方向に対しての広がりの角度（短毛列群４５の両端の針状毛４４の間の角度）Ｆよりも小さくなっている。更に、長毛列群４６は、中央領域（Ｃ矢視部）がまつ毛をとかすコーム部６２となるため、１列では充分なコーミング（まつ毛をとかす）効果を期待できず、その機能を発揮するには少なくとも２列が必要となる。しかも、針状毛４４にまつ毛が絡む様、それぞれの列の針状毛４４を千鳥状に配置する必要がある。
【００２０】
次に、微細塗布部４８について図によって説明する。図５は微細塗布部４８（図３に於けるＤ矢視部）の断面図、図６は微細塗布部４８の針状毛４４及びその列の配置説明図である。微細塗布部４８は、長毛列群４６の中の特定の列（図に於いては中央の列）が中心列４９となっており、この中心列４９を中心として、先端６１の微細塗布部４８に於いて、両側の列がそれぞれ中心列４９の方向に収束した収束列４０となっている。その結果、微細塗布部４８は他所と比較して針状毛４４の密度が増大し、針状毛４４が短くなっていることも合わせて、液状化粧料Ａの保持量、微細塗布性が向上する。この中心列４９の列の本数は、０（空白列）若しくは１列以上が可能である。また、収束列４０の列の本数は合計で１列以上が可能である。
【実施例１】
【００２１】
次に、本発明のマスカラ用アプリケータを実施する場合について説明する。まず、本発明のマスカラ用アプリケータの素材であるが、熱可塑性樹脂、熱硬化性エラストマー樹脂を用いることが望ましい。この熱可塑性樹脂としては、具体的に、ポリエチレン、ポリプロピレン、ポリスチレン、ポリエチレンテレフタレート、ポリブチレンテレフタレート、ポリカーボネート、ポリアセテートなどの樹脂、更には、エチレン系、オレフィン系、塩ビ系、ウレタン系、アミド系などの熱可塑性エラストマー樹脂を用いることができる。また、熱可塑性エラストマーとしては、具体的に、ウレタンゴム、シリコンゴム、フッ素ゴム、ニトリル系ゴム、クロロプレン系ゴム、ポリブタジエン系ゴムなどの合成ゴムを用いることができる。
【００２２】
成形ブラシ部４２の基部４３に設けられた針状毛４４の列は、４列乃至３２列程度と述べたが、最適では図４に示したように１６列程度である。この針状毛４４の列は、基部４３の軸心Ｂ方向に並んでいればよく、必ずしも直線状である必要も、軸心Ｂと平行である必要も、列同士が平行に並ぶ必要もない。
【００２３】
また、列中の針状毛４４の間隔（毛と毛の間の長さ）Ｇは、０．０５ｍｍ乃至１．０ｍｍと述べたが、最適では０．５ｍｍ程度である。更に、隣り合った列の針状毛４４は、図６に示したように、千鳥状に交互に配置し、針状毛４４が重ならないようにしている。そのため、必要に応じて列中の針状毛４４の間隔を変えて対応する。
【００２４】
また、針状毛４４の列を周方向に１６列設けた場合には、長毛列群４６を５列、短毛列群４５を残り１１列にする。そして、図４に示したように、針状毛４４の列（１６列）を基部４３周方向全周に均等に配設した場合には、針状毛４４の列の周方向の角度間隔は２２．５°となる。更に、全１６列中の長毛列群４６と短毛列群４５の列数を、前述のようにそれぞれ５列及び１１列にした場合には、長毛列群４６の周方向に対しての広がりの角度Ｅは９０°、短毛列群４５の周方向に対しての広がりの角度Ｆは２２５°となる。
【００２５】
また、針状毛４４の列を基部４３の全周に不均等に配置した一例を図７によって説明する。図７に於ける長毛列群４６と短毛列群４５の配置は、長毛列群４６と短毛列群４５の間に隙間６４を設けたものである。具体的には、長毛列群４６は５列、その周方向に対しての角度間隔が１５°、その広がりが６０°、短毛列群４５は１１列、その周方向に対しての角度間隔が２２．５°、その広がりが２２５°、長毛列群４６と短毛列群４５との間の周方向に対しての角度隙間６４がそれぞれ３７．５°としている。
【００２６】
針状毛４４の長さであるが、短毛列群４５中の針状毛４４の長さは、０．５ｍｍ乃至３．０ｍｍ、最適では、１．０ｍｍ乃至２．２ｍｍ程度である。長毛列群４６中の針状毛４４の長さは、最も長い部位（図３に於けるＣ矢視部）で、１．０ｍｍ乃至５．０ｍｍ、最適では、２．０ｍｍ乃至４．０ｍｍ程度である。長毛列群４６中の短毛部位６３の針状毛４４の長さは、０．５ｍｍ乃至４．０ｍｍ、最適では、１．０ｍｍ乃至３．０ｍｍ程度である。なお、長毛列群４６中の短毛部位６３の針状毛４４の長さは、短毛列群４５の針状毛４４の長さに制約を受けず、短毛列群４５の針状毛４４の長さよりも短くても、長くても良い。
【００２７】
なお、長毛列群４６と短毛列群４５中の針状毛４４の長さは、図７に示したように明確に区別しても良く、逆に図４に示したように短毛列群４５の、長毛列群４６との接した部分の針状毛４４の長さを徐々に長くし、短毛列群４５と長毛列群４６の間に段差を無くす事もできる。この場合、長毛列群４６と短毛列群４５の区別が不明瞭となるが、その境を明確する必要がなく、図４の断面図に示したように、成形ブラシ部のほぼ中央部分で、およそ毛の長さがモヒカン状になった部分が長毛列群４６と考えればよい。
【００２８】
次に微細塗布部４８の実施例について説明する。微細塗布部４８の基部４３における長手方向の長さは、１．０ｍｍ乃至１０．０ｍｍ程度であると述べたが、最適では３．０ｍｍ乃至７．０ｍｍ程度である。また、図６に於いては、５列ある長毛列群４６の中央の１列が中心列４９であり、両側のそれぞれ２列が収束列４０となる。この収束列４０は、コーム部６２では中心列４９と平行であるが、短毛部位６３になると中心列４９の方向に向かって湾曲している。また、４列ある収束列４０のうち、中心列４９に近い側の収束列４０（内側の収束列４０ａ）よりも外側の収束列４０ｂの方が曲率（曲がる量）が大きく、微細塗布部４８の先端６１に近づくにつれ収束率が高くなり、針状毛４４の密度が高くなる。
【００２９】
更に、図８に示した微細塗布部４８の他の実施例について説明する。中心列４９の両側の収束列４０は、直線状であり、コーム部６２より中心列４９の先端６１方向に収束している。つまり、中心列４９と収束列４０は平行ではなく、先端６１に行くほどその間隔が狭まるよう、角度を変えて配置している。したがって、内側の収束列４０ａよりも外側の収束列４０ｂの方が中心列４９に対しての傾きが大きく、先端部６１に近づくにつれ、針状毛４４の密度が高くなる。
【００３０】
本発明に於いて中心列４９は、長毛列群４６の中央の列に設定したが、長毛列群４６のどちらかに片寄って設けることも可能である。また、中心列４９の列の本数も、０若しくは１本以上が可能であると述べたが、長毛列群４６の列の本数によっては複数列でも良い。また、中心列４９の本数が０とは、中心列４９を針状毛４４のない空白部分を中心列とすることある。更に、収束列４０は、中心列４９を挟んで同じ本数を設ける必要もなく、一方の本数を多くし、収束列４０を偏在させても良い。
【００３１】
微細塗布部４８の最小構成は、中心列４９が針状毛４４の列の場合には、中心列４９及び収束列４０が各１列で、中心列４９が針状毛４４のない空白列の場合には、収束列４０が２列でそれぞれ構成可能である。したがって、長毛列群４６の全ての列を使用して微細塗布部４８を構成する必要もなく、部分的に一部の列を利用して微細塗布部４８を設けることも可能である。
【符号の説明】
【００３２】
１      容器本体
２      キャップ
３      塗布棒
４      アプリケータ
５      ワイパー
１１      首部
１２      雄ネジ
１３      口部
２１      雌ネジ
２２      天井面
３１      連結穴
４０      収束列
４０ａ    内側の収束列
４０ｂ    外側の収束列
４１      連結部
４２      成形ブラシ部
４３      基部
４４      針状毛
４５      短毛列群
４６      長毛列群
４７      塗布部
４８      微細塗布部
４９      中心列
５１      払拭穴
５２      パッキン
６１      先端
６２      コーム部
６３      短毛部位
Ａ      液状化粧料
Ｂ      軸心
Ｃ      成形ブラシ部の中央部
Ｄ      成形ブラシ部の先端部
Ｅ      長毛列群の広がりの角度
Ｆ      短毛列群の広がりの角度
Ｇ      針状毛の間隔
【図１】
0006358742.tif 000002
【図２】
0006358742.tif 000003
【図３】
0006358742.tif 000004
【図４】
0006358742.tif 000005
【図５】
0006358742.tif 000006
【図６】
0006358742.tif 000007
【図７】
0006358742.tif 000008
【図８】
0006358742.tif 000009